(57)【要約】      （修正有）【課題】感情データを伴うタグを追加および処理するための方法および装置を提供する。【解決手段】感情データを伴うタグを追加する方法は、コンテンツへのアクセス時に、ユーザの感情を反映する測定可能な生理学的パラメータに従って取得される感情データを受信するステップと、感情データを伴うタグを感情データに基づいてコンテンツに追加するステップとを、含む。感情データを伴うタグを処理する方法は、感情データを伴うタグから感情データを抽出するステップであって、このタグは１つのコンテンツに対応する、抽出ステップと、サービスを提供するために感情データを使用するステップとを、含む。本発明の方法および装置を使用することによって、感情データを伴うタグを、便利に、即時に、および効率的に、コンテンツに追加することが可能であり、ユーザの体験を向上させることが可能である。【選択図】図１
2010244523.tif 000002
【特許請求の範囲】
【請求項１】
コンテンツへのアクセス時にユーザによって生成された感情データを受信するステップであって、前記感情データは、前記ユーザの感情を反映する測定可能な生理学的パラメータに従って取得される、受信するステップと、
前記感情データを伴うタグを前記感情データに基づいて前記コンテンツに追加するステップと、
を含む、感情データを伴うタグを追加するための方法。
【請求項２】
前記感情データを使用することにより、所定のストラテジに従って前記コンテンツに対応する共通感情データを計算するステップと、
前記共通感情データを伴う前記タグを前記コンテンツに追加するステップ、または前記共通感情データをメモリ内に格納するステップと、
をさらに含む、請求項１に記載の方法。
【請求項３】
前記所定のストラテジが、
複数のユーザから感情データを平均化し、前記平均を前記共通感情データとして使用するストラテジと、
複数ユーザからの感情データのガウス分布の平均値を計算し、前記平均値を前記共通感情データとみなすストラテジと、
所定の重みを使用して前記複数のユーザからの感情データを重み付けし、前記重み付けされた感情データの合計を前記共通感情データとみなすストラテジと、
のうちの１つを含む、請求項２に記載の方法。
【請求項４】
前記ユーザの前記コンテンツへのアクセス時に、生理学的パラメータを獲得するステップをさらに含む、請求項１に記載の方法。
【請求項５】
前記ユーザの前記コンテンツへのアクセス時に、生理学的パラメータ・センサまたは生物学的信号検出器によって前記生理学的パラメータが獲得され、前記生理学的パラメータは、
心拍数、呼吸数、血圧、脳波図パラメータ、体温、皮膚電気反応のうちの１つまたは複数を含む、請求項４に記載の方法。
【請求項６】
感情データを伴うタグから感情データを抽出するステップであって、前記タグは１つのコンテンツに対応し、前記感情データは、ユーザの感情を反映する測定可能な生理学的パラメータに従って取得される、抽出するステップと、
サービスを提供するために前記感情データを使用するステップと、
を含む、感情データを伴うタグを処理するための方法。
【請求項７】
前記感情データが、所定のストラテジに従って計算され、前記コンテンツに関連付けられた、共通感情データである、請求項６に記載の方法。
【請求項８】
前記所定のストラテジが、
複数のユーザから感情データを平均化し、前記平均を前記共通感情データとして使用するストラテジと、
複数ユーザからの感情データのガウス分布の平均値を計算し、前記平均値を前記共通感情データとみなすストラテジと、
所定の重みを使用して前記複数のユーザからの感情データを重み付けし、前記重み付けされた感情データの合計を前記共通感情データとみなすストラテジと、
のうちの１つを含む、請求項７に記載の方法。
【請求項９】
感情データを抽出する前記ステップが、
前記コンテンツへのアクセス時に１ユーザと同様の感情を生成している他のユーザに対する１ユーザの照会要求を受信するステップと、
前記コンテンツへのアクセス時に前記１ユーザによって生成された感情データを獲得するステップと、
前記コンテンツの前記タグから他のユーザの感情データを抽出するステップと、
を含み、
サービスを提供するために前記感情データを使用する前記ステップが、
前記１ユーザの感情データおよび他のユーザの感情データに従って、前記１ユーザと同様の前記感情を伴う他のユーザを決定するステップと、
前記決定された他のユーザの情報を前記１ユーザに提供するステップと、
を含む、請求項６から８のいずれか一項に記載の方法。
【請求項１０】
感情データを抽出する前記ステップが、
一致することになる前記コンテンツの前記タグから感情データを抽出するステップを含み、
サービスを提供するために前記感情データを使用する前記ステップが、
現在アクセスされている前記コンテンツに関して前記ユーザによって生成された感情データを獲得するステップと、
前記ユーザの現在の感情データおよび一致することになる前記コンテンツの前記タグから抽出された前記感情データに従って、一致コンテンツを検索するステップと、
前記一致コンテンツを前記ユーザに提供するステップと、
を含む、請求項６から８のいずれか一項に記載の方法。
【請求項１１】
感情データを抽出する前記ステップが、
１ユーザによって以前にアクセスされたコンテンツのタグから感情データを抽出するステップと、
一致することになるコンテンツの前記タグから感情データを抽出するステップと、
を含み、
サービスを提供するために前記感情データを使用する前記ステップが、
前記１ユーザによって以前にアクセスされたコンテンツの前記タグから抽出された感情データの統計を実施することにより、１ユーザによって最も頻繁に生成された感情を決定するステップと、
前記１ユーザによって最も頻繁に生成された前記感情に対応する感情データ、および一致することになるコンテンツの前記タグから抽出された前記感情データに従って、一致コンテンツを検索するステップと、
前記一致コンテンツを前記１ユーザに提供するステップと、
を含む、請求項６から８のいずれか一項に記載の方法。
【請求項１２】
感情データを抽出する前記ステップが、
１ユーザと同じ前記コンテンツにアクセスしている他のユーザの感情を体験するための１ユーザの要求を受信するステップと、
前記同じコンテンツの前記タグから他のユーザの感情データを抽出するステップと、
を含み、
１ユーザにサービスを提供するために前記感情データを使用する前記ステップが、
前記抽出された他のユーザの感情データに基づいて前記１ユーザを動作させるステップを含む、請求項６から８のいずれか一項に記載の方法。
【請求項１３】
前記生理学的パラメータが、
心拍数、呼吸数、血圧、脳波図パラメータ、体温、皮膚電気反応のうちの１つまたは複数を含む、請求項６から８のいずれか一項に記載の方法。
【請求項１４】
前記コンテンツへのアクセス時に、前記ユーザによって生成された感情データを獲得するステップと、
前記感情データをタグとして前記コンテンツに追加するステップと、
をさらに含む、請求項６から８のいずれか一項に記載の方法。
【請求項１５】
コンテンツへのアクセス時にユーザによって生成された感情データを受信するための受信手段であって、前記感情データは、前記ユーザの感情を反映する測定可能な生理学的パラメータに従って取得される、受信手段と、
前記感情データを伴うタグを前記感情データに基づいて前記コンテンツに追加するための追加手段と、
を備える、感情データを伴うタグを追加するための装置。
【請求項１６】
前記感情データを使用することにより、所定のストラテジに従って前記コンテンツに対応する共通感情データを計算するための手段と、
前記共通感情データを伴う前記タグを前記コンテンツに追加するため、または前記共通感情データをメモリ内に格納するための手段と、
をさらに備える、請求項１５に記載の装置。
【請求項１７】
前記所定のストラテジが、
複数のユーザから感情データを平均化し、前記平均を前記共通感情データとして使用するストラテジと、
複数ユーザからの感情データのガウス分布の平均値を計算し、前記平均値を前記共通感情データとみなすストラテジと、
所定の重みを使用して前記複数のユーザからの感情データを重み付けし、前記重み付けされた感情データの合計を前記共通感情データとみなすストラテジと、
のうちの１つを含む、請求項１６に記載の装置。
【請求項１８】
前記ユーザの前記コンテンツへのアクセス時に、生理学的パラメータを獲得するための手段をさらに備える、請求項１５に記載の装置。
【請求項１９】
前記ユーザの前記コンテンツへのアクセス時に生理学的パラメータを獲得するための手段が、前記ユーザの前記コンテンツへのアクセス時に、生理学的パラメータ・センサまたは生物学的信号検出器を介して前記生理学的パラメータを獲得する、請求項１８に記載の装置。
【請求項２０】
感情データを伴うタグから感情データを抽出するための抽出手段であって、前記タグは１つのコンテンツに対応し、前記感情データは、ユーザの感情を反映する測定可能な生理学的パラメータに従って取得される、抽出手段と、
サービスを提供するために前記感情データを使用するためのサービス提供手段と、
を備える、感情データを伴うタグを処理するための装置。
【請求項２１】
前記感情データが、所定のストラテジに従って計算され、前記コンテンツに対応する、共通感情データである、請求項２０に記載の装置。
【請求項２２】
前記所定のストラテジが、
複数のユーザから感情データを平均化し、前記平均を前記共通感情データとして使用するストラテジと、
複数ユーザからの感情データのガウス分布の平均値を計算し、前記平均値を前記共通感情データとみなすストラテジと、
所定の重みを使用して前記複数のユーザからの感情データを重み付けし、前記重み付けされた感情データの合計を前記共通感情データとみなすストラテジと、
のうちの１つを含む、請求項２１に記載の装置。
【請求項２３】
前記抽出手段が、
前記コンテンツへのアクセス時に１ユーザと同様の感情を生成している他のユーザに対する１ユーザの照会要求を受信するための手段と、
前記コンテンツへのアクセス時に前記１ユーザによって生成された感情データを獲得するための手段と、
前記コンテンツの前記タグから他のユーザの感情データを抽出するための手段と、
を備え、
前記サービス提供手段が、
前記１ユーザの感情データおよび他のユーザの感情データに従って、前記１ユーザと同様の前記感情を伴う他のユーザを決定するための手段と、
前記決定された他のユーザの情報を前記１ユーザに提供するための手段と、
を備える、請求項２０から２２のいずれか一項に記載の装置。
【請求項２４】
前記抽出手段が、
一致することになる前記コンテンツの前記タグから感情データを抽出するための手段を備え、
前記サービス提供手段が、
現在アクセスされている前記コンテンツに関して前記ユーザによって生成された感情データを獲得するための手段と、
前記ユーザの現在の感情データおよび一致することになる前記コンテンツの前記タグから抽出された前記感情データに従って、一致コンテンツを検索するための手段と、
前記一致コンテンツを前記ユーザに提供するための手段と、
を備える、請求項２０から２２のいずれか一項に記載の装置。
【請求項２５】
前記抽出手段が、
１ユーザによって以前にアクセスされたコンテンツのタグから感情データを抽出するための手段と、
一致することになるコンテンツの前記タグから感情データを抽出するための手段と、
を備え、
前記サービス提供手段が、
前記１ユーザによって以前にアクセスされたコンテンツの前記タグから抽出された感情データの統計を実施することにより、１ユーザによって最も頻繁に生成された感情を決定するための手段と、
前記１ユーザによって最も頻繁に生成された前記感情に対応する感情データ、および一致することになるコンテンツの前記タグから抽出された前記感情データに従って、一致コンテンツを検索するための手段と、
前記一致コンテンツを前記１ユーザに提供するための手段と、
を備える、請求項２０から２２のいずれか一項に記載の装置。
【請求項２６】
前記抽出手段が、
１ユーザと同じ前記コンテンツにアクセスしている他のユーザの感情を体験するための１ユーザの要求を受信するための手段と、
前記同じコンテンツの前記タグから他のユーザの感情データを抽出するための手段と、
を備え、
前記サービス提供手段が、
前記抽出された他のユーザの感情データに基づいて前記１ユーザを動作させるための手段を備える、請求項２０から２２のいずれか一項に記載の装置。
【請求項２７】
前記コンテンツへのアクセス時に、ユーザによって生成された感情データを受信するための受信手段と、
前記感情データに基づいて、感情データを伴う前記タグを前記コンテンツに追加するための追加手段と、
をさらに備える、請求項２０から２２のいずれか一項に記載の装置。
【発明の詳細な説明】
【技術分野】
【０００１】
本発明はコンピュータの分野に関し、具体的に言えば、感情データを伴うタグを追加および処理するための方法および装置に関する。
【背景技術】
【０００２】
インターネット技術が発達を続けるにつれて、写真、テキスト、ビデオ、オーディオなどの、様々なコンテンツへの人々のアクセスが増加し、アクセス先となる所望なコンテンツをどのようにして即時かつ正確に検索するかが、ますます人々の関心事になっている。
【０００３】
ある種のコンテンツを検索する機能は、自動コンテンツ分析によって実行可能である。しかしながら自動コンテンツ分析は、低水準機能と高水準概念との間に意味的ギャップが存在するため、コンテンツの十分なメタデータを生成するのには適していない。したがって、現在、比較的普及している技術は、コンテンツに関する意味タグを追加することである。この技術を使用することによって、ユーザは、より正確な方法でコンテンツを記述するタグを、事前対応的に（proactively）生成することができる。
【先行技術文献】
【非特許文献】
【０００４】
【非特許文献１】２００１年１０月付けの、Ｒ．Ｗ．Ｐｉｃａｒｄ、Ｅ．Ｖｙｚａｓ、およびＪ．Ｈｅａｌｅｙによる論文、「Ｔｏｗａｒｄ  Ｍａｃｈｉｎｅ  Ｅｍｏｔｉｏｎａｌ  Ｉｎｔｅｌｌｉｇｅｎｃｅ：Ａｎａｌｙｓｉｓ  ｏｆ  Ａｆｆｅｃｔｉｖｅ  Ｐｈｙｓｉｏｌｏｇｉｃａｌ  Ｓｔａｔｅ」、ＩＥＥＥ  Ｔｒａｎｓ．Ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ、Ｖｏｌ．２３、Ｎｏ．１０、１１７５〜１１９１ページ
【非特許文献２】Ｒ．Ｏ．Ｄｕｄａ、Ｐ．Ｅ．Ｈａｒｔ、およびＤ．Ｇ．Ｓｔｏｒｋによる、Ｐａｔｔｅｒｎ  Ｃｌａｓｓｉｆｉｃａｔｉｏｎ（第２版）、第１０章、５１７〜５９９ページ、ＩＳＢＮ：０−４７１−０５６６９−３
【発明の概要】
【発明が解決しようとする課題】
【０００５】
しかしながら、現在のところ、様々なＷｅｂ  ２．０サービスによってサポートされるすべてのタグは、テキスト特徴のキーワードを含むテキスト・タグのみであるが、こうしたテキスト・タグは、時折、特殊なコンテンツを適切に表現することができない場合がある。たとえば、ある雪山写真のテキスト・タグは、ヒマラヤ、旅行、山、雪、などのテキスト特徴のキーワードを含むが、これではユーザの感情を表現すること、および初めてヒマラヤを見たユーザの感情を表すことはできない。
【課題を解決するための手段】
【０００６】
上記の問題に鑑み、本発明は、感情データを伴うタグを追加および処理するための方法および装置を提供する。
【０００７】
本発明の第１の態様によれば、コンテンツへのアクセス時にユーザによって生成された感情データを受信するステップであって、この感情データは、ユーザの感情を反映する測定可能な生理学的パラメータに従って取得される、受信するステップと、感情データを伴うタグを感情データに基づいてコンテンツに追加するステップとを含む、感情データを伴うタグを追加するための方法が提供される。
【０００８】
本発明の第２の態様によれば、感情データを伴うタグから感情データを抽出するステップであって、このタグは１つのコンテンツに対応し、感情データは、ユーザの感情を反映する測定可能な生理学的パラメータに従って取得される、抽出するステップと、サービスを提供するために感情データを使用するステップとを含む、感情データを伴うタグを処理するための方法が提供される。
【０００９】
本発明の第３の態様によれば、コンテンツへのアクセス時にユーザによって生成された感情データを受信するための受信手段であって、この感情データは、ユーザの感情を反映する測定可能な生理学的パラメータに従って取得される、受信手段と、感情データを伴うタグを感情データに基づいてコンテンツに追加するための追加手段とを備える、感情データを伴うタグを追加するための装置が提供される。
【００１０】
本発明の第４の態様によれば、感情データを伴うタグから感情データを抽出するための抽出手段であって、このタグは１つのコンテンツに対応し、感情データは、ユーザの感情を反映する測定可能な生理学的パラメータに従って取得される、抽出手段と、サービスを提供するために感情データを使用するためのサービス提供手段とを備える、感情データを伴うタグを処理するための装置が提供される。
【００１１】
本発明の第５の態様によれば、感情データを伴うタグを処理するためのサーバを備え、このサーバは、コンテンツへのアクセス時にユーザによって生成された感情データを受信するための受信手段と、感情データを伴うタグを感情データに基づいてコンテンツに追加するための追加手段と、感情データを伴うタグから感情データを抽出するための抽出手段と、感情データを使用することによってサービスを提供するためのサービス提供手段とを備える、感情データを伴うタグを処理するためのシステムが提供される。
【００１２】
本発明の方法および装置を使用することによって、感情データを伴うタグを便利に、即時に、および効率的に、コンテンツに追加することが可能であり、感情データを伴うタグを処理することによってユーザにサービスを提供することが可能であり、それによって、コンテンツへのアクセスにおけるユーザの関心を高め、ユーザの体験を向上させる。
【００１３】
本発明の他の特徴および利点は、本発明の原理を示した好ましい諸実施形態の以下の説明によって、および添付の図面を参照することにより、明らかとなろう。
【００１４】
本発明の他の目的および効果は、添付の図面を参照しながら以下の説明を読むことによって、本発明がより完全に理解されるため、より明らかに、理解しやすくなるであろう。
【図面の簡単な説明】
【００１５】
【図１】本発明の一実施形態に従った、感情データを伴うタグを追加する方法を示す流れ図である。
【図２】本発明の一実施形態に従った、感情データを伴うタグを処理する方法を示す流れ図である。
【図３】本発明の他の実施形態に従った、感情データを伴うタグを処理する方法を示す流れ図である。
【図４】本発明の他の実施形態に従った、感情データを伴うタグを処理する方法を示す流れ図である。
【図５】本発明のさらに他の実施形態に従った、感情データを伴うタグを処理する方法を示す流れ図である。
【図６】本発明の一実施形態に従った、感情データを伴うタグを追加するための装置を示すブロック図である。
【図７】本発明の一実施形態に従った、感情データを伴うタグを処理するための装置を示すブロック図である。
【図８】本発明を実施するように適合されたコンピュータ・システムを示す構造的ブロック図である。
【発明を実施するための形態】
【００１６】
上記のすべての図面において、同一の記号は、同一、同様、または対応する特徴または機能を示す。
【００１７】
次に本発明について、添付の図面を参照しながらより詳細に説明および記述する。本発明の図面および実施形態は、本発明の保護範囲を制限するためではなく、例示的な説明のためにのみ使用されることを理解されたい。
【００１８】
明確にするために、本発明で使用される技術用語について説明する。
【００１９】
１．感情データ
ユーザがあるコンテンツにアクセスする場合、そのコンテンツに応じて対応する感情を発生させる可能性がある。感情データは、ユーザの感情を反映する１つまたは複数の測定可能な生理学的パラメータに従って取得される。
【００２０】
感情データは、生理学的パラメータとも呼ばれる、未処理の生理学的信号およびアクション信号（たとえば、心拍数、呼吸数、血圧、脳波図パラメータ、体温、皮膚電気反応（cutaneogalvanic reaction））を含む。様々な生理学的パラメータが、「好き」、「嫌い」、「怖い」、および「うれしい」などの、様々な感情カテゴリに関連付けられる。ユーザが様々なコンテンツにアクセスする場合、たとえば危険な事故または美しい風景イメージのビデオを見るか、または甲高い悲鳴を聞いた場合など、ユーザは様々な感情を発生させる可能性があるため、結果としてユーザの生理学的パラメータは適宜変更される。感情データは、これらの生理学的パラメータを使用することによってアルゴリズムを抽出する、ある種の関数によって計算された値を、さらに含むことが可能であり、このアルゴリズム抽出関数は、たとえば、連続する２分間の心拍数に関する差異を計算することに関するもの、すなわち一次導関数とすることができる。
【００２１】
ユーザの感情データは、要素が、心拍数、呼吸数、血圧、脳波図パラメータ、体温、皮膚電気反応を含む、生理学的パラメータのうちの１つまたは複数とすることができる、ベクトルとすることができる。複数のユーザの感情データは行列を構成することが可能であり、そのそれぞれの行または列がユーザの感情データに対応する。
【００２２】
２．共通感情データ
共通感情データとは、異なるユーザが同じコンテンツにアクセスした場合に生成するそれぞれの感情データの統計を計算または実施することによって取得された、総合的な結果である。共通感情データは、異なるユーザが同じコンテンツにアクセスした場合に生成する「平均的な」感情を反映することが可能であり、所定のストラテジに従って感情データを使用することによって取得可能である。
【００２３】
３．コンテンツ
コンテンツは、写真、テキスト、ビデオ、またはオーディオのすべてまたは一部とすることができる。
【００２４】
本発明は、感情タグを伴うタグを追加および処理するための方法を含む。図１は、感情タグを伴うタグを追加する方法を示し、図２から図５は、感情タグを伴うタグを処理するための方法のいくつかの例を示す。
【００２５】
本発明の一実施形態では、第１に基準感情データを獲得し、その後、基準感情データに基づいて、本発明の感情データを伴うタグを追加するための方法を実行することができる。
【００２６】
基準感情データは、獲得した生理学的パラメータが標準的か否かを判別するための感情データとすることができる。たとえば、生理学的パラメータが、タグに追加される感情データとしての機能を果たすかどうかを判別するために、ユーザの基準感情データと獲得されたユーザの生理学的パラメータとの差異を計算することによって、生理学的パラメータが正常範囲内にあるかどうかが判断される。
【００２７】
各感情に対応する値の範囲が事前に決定された場合、基準感情データを使用することによって、感情データに対応する感情を決定することができる。たとえば、基準感情データと１つの感情データとの差異が、「うれしい」という感情の所定の値の範囲内にある場合、その感情データに対応する感情は「うれしい」であり、基準感情データと１つの感情データとの差異が、「怖い」という感情の所定の値の範囲内にある場合、その感情データに対応する感情は「怖い」である。したがって、ユーザの基準感情データは、１つの感情データを生成した時点でユーザがどのような感情にあるかを決定するために使用される。
【００２８】
具体的に言えば、この実施形態では、第１にユーザの基準感情データを受信することが可能であり、基準感情データは平穏な状態でのユーザの生理学的パラメータに基づいて決定することが可能であって、基準感情データは、登録時に指定されたコンテンツに関してユーザによって生成された感情データ、またはユーザが様々な期間に一連の通常のコンテンツにアクセスした場合に生成される感情データの平均、または他のより複雑なアルゴリズム方法を使用して取得された結果、とすることが可能である。
【００２９】
次に、この実施形態では、現在受信されているユーザの感情データが正常範囲内にあるかどうかを、ユーザの基準感情データに基づいて判断することが可能であり、正常範囲内にある場合、感情データをタグに追加することが可能であり、正常範囲内にない場合、感情データはタグに追加されない。たとえば、現在獲得されているユーザの感情データとユーザの基準感情データとの差異が計算可能であり、その後、この差異から平均が計算可能であって、その後、この平均が正常範囲内にあるかどうかが判断可能であるか、または別の方法として、基準値に対する差異の割合が計算可能であり、その後、この割合から平均が計算可能であって、その後、この平均が正常範囲内にあるかどうかが判断可能である。正常範囲は、医学的な常識に従って決定可能であり、たとえば心拍数の正常範囲は、ゼロから医学的な最大値までの間とすることが可能であり、負の値や高すぎる値であるはずがない。
【００３０】
加えて、この実施形態では、各感情に対応する値の範囲が事前に設定された場合、現在受信されている感情データを生成するユーザが、現在どのような感情にあるかに関しての判断も、ユーザの基準感情データに基づいて実行可能である。
【００３１】
ユーザの基準感情データを感情データとしてタグに追加することが可能であり、それによって、提供されるサービスに対してある種の感情データとして処理されることに留意されたい。
【００３２】
図１は、本発明の一実施形態に従った、感情データを伴うタグを追加する方法を示す流れ図である。この方法によれば、コンテンツへのアクセス時にユーザによって生成された感情データが第１に受信され、次に、感情データを伴うタグがコンテンツに追加される。コンテンツに対応する共通感情データは、感情データを使用することにより、所定のストラテジに従って計算可能である。共通感情データはある種の感情データとみなすことができるため、結果として、感情データのような共通感情データがタグとしてコンテンツに追加される。さらに共通感情データは、共通感情データの使用が必要な場合にアクセスしやすいように、メモリに格納することができる。
【００３３】
ステップ１０１は、ユーザによってアクセスされているコンテンツを決定するステップである。
【００３４】
ユーザは、あるコンテンツへのアクセスを望む場合、一般に、感情データを伴うタグを追加するための本発明の装置またはサーバにアクセス要求を送信する。ユーザがアクセス権を有するものと装置が判断した場合、ユーザはコンテンツへのアクセスを許可される。したがって、様々な最先端技術を使用して、どのユーザがどのコンテンツにアクセスしているかが決定できる。
【００３５】
この実施形態では、ユーザが雪山の写真にリンクされたＵＲＬをクリックするという前提で、感情データを伴うタグを追加するための本発明の装置は、この時点で、ユーザがアクセスを望む対象が雪山の写真であることを決定することができる。この装置が、ユーザがアクセス権を有するものと判断した場合、装置自体の表示画面上でユーザがこの写真をブラウズすることを許可する。この時点で、感情データを伴うタグを追加するための本発明の装置は、ユーザが１つのコンテンツにアクセスしていることを特定できるだけでなく、ユーザがこのコンテンツにアクセスするという１つの記録を格納することもできる。
【００３６】
ステップ１０２は、コンテンツへのアクセス時にユーザによって生成された感情データを受信するステップである。
【００３７】
このステップでは、第１に、コンテンツにアクセスしているユーザによって生成された生理学的パラメータがクライアント（すなわちユーザ端末）側で感知され、その後、クライアントは感知された生理学的パラメータに従って感情データを取得し、取得された感情データは感情データを伴うタグを追加するための本発明の装置に提供される。別の方法として、第１に、コンテンツにアクセスしているユーザによって生成された生理学的パラメータがクライアント（すなわちユーザ端末）側で感知され、その後クライアントは、感情データを伴うタグを追加するための本発明の装置に、感知された生理学的パラメータを直接提供し、その後装置は、パラメータの受信後、生理学的パラメータに従って感情データを取得する。
【００３８】
一実施形態では、ステップ１０２が実行される前に、コンテンツへのユーザのアクセス時に生理学的パラメータを獲得し、この生理学的パラメータに基づいて、コンテンツへのユーザのアクセス時に生成された感情データを取得する手順を、実行可能であることに留意されたい。この手順では、生理学的パラメータ・センサまたは生物学的信号検出器をクライアント側に配置構成すること、たとえばこれをユーザ端末の近くに配置することが可能であるか、または、ステップ１０２でコンテンツへのユーザのアクセス時に生成された生理学的パラメータを感知するように、ユーザがセンサを身に付けることが可能である。他の実施形態では、事前に獲得されたユーザの基準感情データと感知されたユーザの生理学的パラメータとの差異が計算可能であり、その後、生理学的パラメータが正常範囲内にあるかどうかが判断され、正常範囲内にあるそれらの生理学的パラメータが感情データとみなされる。
【００３９】
この実施形態では、ステップ１０２の特定の手順は以下の通りである。
【００４０】
３人のユーザが雪山の写真にアクセスしており、これら３人のユーザがそれぞれ、生理学的パラメータを感知可能であり、ユーザの心拍数および血圧などの生理学的パラメータの信号を感知するために使用される、センサを身に付けているものと想定する。センサによって感知された信号はクライアント側で電気信号に変換可能であり、ユーザの感情データは電気信号の増幅およびＡ／Ｄ変換によって取得可能であり、その後、この感情データは、感情データを伴うタグを追加するための本発明の装置に提供される。代替の解決策では、クライアントは、センサによって感知された信号を、感情データを伴うタグを追加するための本発明の装置に直接提供可能であり、当該装置は、ユーザの感情データを取得するように、感知された信号を電気信号に変換し、電気信号を増幅して、Ａ／Ｄ変換を実行する。
【００４１】
ステップ１０２から取得された第１のユーザの感情データが（７０、１１０、８５）であるものと想定し、それらは第１のユーザの心拍数が７０拍／分、血圧が１１０／８５ミリメートル水銀柱（ｍｍＨｇ）であることを示し、ここで収縮期圧は１１０  ｍｍＨｇ、拡張期圧は８５ｍｍＨｇであり、第２のユーザの感情データが（７５、１２０、９０）であるものと想定し、それらは第２のユーザの心拍数が７５拍／分、血圧が１２０／９０  ｍｍＨｇであることを示し、第３のユーザの感情データが（８０、１００、７０）であるものと想定し、それらは第３のユーザの心拍数が８０拍／分、血圧が１００／７０  ｍｍＨｇであることを示す。
【００４２】
一例では、感情カテゴリは、生理学的パラメータに従った統計パターン認識によって決定可能である。具体的に言えば、パターンは、統計的方法によるトレーニング・サンプルに従って、各感情についてトレーニングされ、その後、十分にトレーニングされたパターンを使用して、生理学的パラメータが分類される。詳細については、２００１年１０月付けの、Ｒ．Ｗ．Ｐｉｃａｒｄ、Ｅ．Ｖｙｚａｓ、およびＪ．Ｈｅａｌｅｙによる論文、「Ｔｏｗａｒｄ  Ｍａｃｈｉｎｅ  Ｅｍｏｔｉｏｎａｌ  Ｉｎｔｅｌｌｉｇｅｎｃｅ：Ａｎａｌｙｓｉｓ  ｏｆ  Ａｆｆｅｃｔｉｖｅ  Ｐｈｙｓｉｏｌｏｇｉｃａｌ  Ｓｔａｔｅ」、ＩＥＥＥ  Ｔｒａｎｓ．Ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ、Ｖｏｌ．２３、Ｎｏ．１０、１１７５〜１１９１ページを参照されたい。したがって、統計パターン認識方法によって感情データを分類するための十分にトレーニングされたパターンを使用して、ユーザが、たとえば「うれしい」、「驚き」、または「怖い」などのどの感情カテゴリにあるかを、決定することができる。
【００４３】
他の例では、各感情カテゴリに対応する値の範囲が事前に決定されている場合、基準感情パラメータを使用して、生理学的パラメータに対応する感情カテゴリを決定することができる。たとえば、基準感情データと生理学的パラメータとの差異が、「うれしい」という感情の値の範囲内にある場合、生理学的パラメータに対応する感情は「うれしい」であり、すなわち、ユーザがその生理学的パラメータを生成している場合は、まさに「うれしい」という感情にあるものと決定される。
【００４４】
この実施形態では、第１のユーザの感情が「うれしい」であり、第２のユーザの感情が「驚き」、第３のユーザの感情が「怖い」であると決定されたものと想定される。
【００４５】
ステップ１０３は、感情データを伴うタグをコンテンツに追加するステップである。
【００４６】
最も簡単なケースでは、感情データを伴うタグを追加するための本発明の装置は、感情データ内に含められた要素を単にタグとして直接使用するのみとすることができる。別の方法として、この装置は、他の追加情報と感情データとを一緒にタグとして使用することが可能であり、ここで他の追加情報とは、たとえばユーザのＩＰアドレス、識別子、およびアクセス・タイムスタンプである。
【００４７】
ステップ１０４は、抽出された感情データに基づき、所定のストラテジに従って共通感情データを計算するステップである。
【００４８】
感情データを伴うタグを追加するための本発明の装置は、様々な所定のストラテジに従って共通感情データを計算することができる。たとえば、複数のユーザがコンテンツにアクセスする際に生成された感情データをタグが担持する場合、異なるユーザを平均化することによって共通感情データが計算されるか、または、複数ユーザの感情データからのガウス分布の平均値を計算し、この平均が共通感情データとして使用されるか、または、複数ユーザからの感情データを所定の重みを使用して重み付けし、重み付けされた感情データの合計が共通感情データとみなされる。共通感情データは、他の統計パターン認識を使用して計算することができる。感情データと同様に、計算によって取得される共通感情データはベクトルとすることができる。
【００４９】
この実施形態では、たとえば複数ユーザの感情データの平均（７５、１１０、８２）を、共通感情データとみなすことができる。
【００５０】
ステップ１０５では、感情データを伴うタグを追加するための本発明の装置は、共通感情データを処理することによってユーザにサービスを提供するために、共通感情データを伴うタグをコンテンツに追加する。
【００５１】
他の実施形態では、共通感情データを、磁気ディスク、フレキシブル・ディスク、コンパクト・ディスク（ＣＤ）、および磁気テープ、ならびに、当業者が想像する他の媒体などの、メモリまたはアクセスされるように適合された任意の媒体に格納することができる。
【００５２】
その後、手順は終了する。
【００５３】
ステップ１０４および１０５は選択的であることを理解されたい。共通感情データを計算しないケースでは、本発明に従って感情データを伴うタグを追加するための方法は、確実に達成可能である。ステップ１０４および１０５がない場合、共通感情データは、感情データを伴うタグの後続の処理で計算可能である。ステップ１０４および１０５がある場合、共通感情データはタグから直接抽出されるか、または、その後の感情データを伴うタグの処理時にメモリから読み取られる。
【００５４】
本発明の一実施形態では、ユーザがビデオを見る場合、様々な時点でのユーザの生理学的パラメータを獲得することによって、ユーザがビデオを見ている時の感情データを取得することができる。この時点で、ユーザがビデオを見ている際に取得された感情データは、複数の感情データのセットとすることが可能であり、セット内の各感情データは各時点でのユーザの感情に対応し、ここで時点間の時間間隔は事前設定可能であり、たとえばこの時間間隔は１分である。コンテンツにアクセスしているユーザによって生成された感情データを受信するステップでは、受信される対象を、感情データ・セット内の各感情データ、および各感情データに対応する時点とすることが可能である。感情データを伴うタグをコンテンツに追加するステップでは、各感情データと受信した各感情データに対応する時点との両方を、タグに含めることが可能であり、その後こうしたタグがコンテンツに追加される。したがって、その後こうしたタグが処理される場合、対応する処理をより便利かつ効率的に実行するために、ある時間間隔の様々な時点でユーザの感情データを抽出することができる。
【００５５】
図２から図５は、それぞれ、感情データを伴うタグの処理方法の例を示す。すべての例が、感情データを伴うタグを処理するための本発明の装置によって実現可能である。処理される感情データを伴うタグは、コンテンツへのユーザのアクセス時に生成された感情データを受信すること、および受信された感情データをタグとしてコンテンツに追加することによって、取得されることに留意されたい。加えて、処理される感情データを伴うタグは、当業者に公に知られた他の技術によっても取得可能である。
【００５６】
図２に示されたような例では、感情データを伴うタグを処理するための本発明の装置は、第１に、コンテンツへのアクセス時に１ユーザと同様の感情を生成する他のユーザに関する１ユーザの照会要求に応答し、コンテンツにアクセスしている１ユーザによって生成された感情データを獲得し、コンテンツのタグから他のユーザの感情データを抽出し、その後、１ユーザの感情データおよび他のユーザの感情データに従って、感情が１ユーザと同様の他のユーザを決定し、その後、決定された他のユーザの情報を１ユーザに提供する。
【００５７】
図３に示されたような例では、感情データを伴うタグを処理するための本発明の装置は、第１に、現在アクセスされているコンテンツに関して、ユーザによって生成された感情データを獲得し、一致するコンテンツのタグから感情データを抽出し、その後、ユーザの現在の感情データに従って一致するコンテンツを検索して、一致するコンテンツのタグから感情データを抽出し、ここで一致するコンテンツのタグはユーザの現在の感情データに一致する感情データを有し、その後、一致するコンテンツをユーザに提供する。
【００５８】
図４に示されたような例では、感情データを伴うタグを処理するための本発明の装置は、第１に、以前に１ユーザによってアクセスされたコンテンツのタグから感情データを抽出し、一致するコンテンツのタグから感情データを抽出し、１ユーザによって以前にアクセスされたコンテンツのタグから抽出された感情データの統計を実施することによって、１ユーザによって最も頻繁に生成された感情を決定し、１ユーザによって最も頻繁に生成された感情に対応する感情データと、一致するコンテンツのタグから抽出された感情データとに従って、一致するコンテンツを検索し、この一致するコンテンツを１ユーザに提供する。
【００５９】
図５に示されたような例では、感情データを伴うタグを処理するための本発明の装置は、第１に、１ユーザと同じコンテンツにアクセスしている他のユーザの感情を体験するための１ユーザの要求を受信し、次に、この要求に応答して同じコンテンツのタグから他のユーザの感情データを抽出し、その後、抽出された他のユーザの感情データに基づいて１ユーザを始動させる。
【００６０】
図２から図５に示されたような実施形態について、以下で詳細に説明する。
【００６１】
図２は、本発明の一実施形態に従った、感情データを伴うタグを処理する方法を示す流れ図である。この実施形態では、ユーザ１が雪山の写真をブラウズしているというシナリオが想定される。雪山の美しい景色を見た後、ユーザ１は雪山へ旅行することを非常に期待し、仲間として同じ興味を持つ人物を見つけることを期待する。したがって、ユーザ１は、どのユーザが、この写真にアクセスした際に同様の感情を持つかを調査すること、およびそれによって、さらにその人物またはそれらの人物と通信することを希望する可能性がある。
【００６２】
ステップ２０１は、同じコンテンツにアクセスした際に、どのユーザが自分と同様の感情を持つかについて調査するための、ユーザの要求を受信することに関する。
【００６３】
ステップ２０２は、コンテンツへのアクセス時にユーザによって生成された感情データを獲得することに関する。
【００６４】
図１に示されたような実施形態におけるステップ１０２と同様に、ステップ２０２では、感情データを伴うタグを処理するための本発明の装置は、第１に、コンテンツへのアクセス時にユーザによって生成された生理学的パラメータを感知し、その後、感知された生理学的パラメータを使用することによって、ユーザの感情を取得する。
【００６５】
この実施形態では、雪山を見た時のユーザ１の感情は「驚き」であり、感知によって取得されたユーザ１の感情データは（７５、１２０、９０）であると想定され、ここでその中の要素は、それぞれ、ユーザの心拍数、収縮期血圧、および拡張期血圧などの、生理学的パラメータに対応する。
【００６６】
ステップ２０３は、コンテンツのタグを読み取り、タグから他のユーザの感情データを抽出するステップである。
【００６７】
この実施形態では、３人のユーザ（ユーザ２、ユーザ３、およびユーザ４）が以前に雪山の写真にアクセスしており、ユーザ２の感情データは（７０、１１０、８５）であり、ユーザ３の感情データは（７５、１２０、９０）であり、ユーザ４の感情データは（８０、１００、７０）であって、これらすべての感情データが、すでに写真に格納されていることが想定される。この場合、感情データを伴うタグを処理するための本発明の装置は、タグから３人のユーザの感情データをそれぞれ抽出することができる。
【００６８】
ステップ２０４は、ユーザの感情データと他のユーザの感情データとの間の距離を計算することに関する。
【００６９】
感情データ間の距離は、たとえばユークリッド距離、または当業者に公に知られた他の方法によって、計算することができる。
【００７０】
感情データを以下の式、Ｘｊ×ｎ＝＜ｘｊ１，ｘｊ２，．．．，ｘｊｎ＞で表すために、ｎ次元ベクトルが使用されるという前提では、上式で、ｎは感知された生理学的パラメータの数を表し、ｊはｊ番目のユーザを表し、ｉ番目のユーザとｊ番目のユーザとの間の距離、すなわちベクトルＸｉとＸｊとの間の距離は、以下の通りである。
【数１】
2010244523.tif 000003
【００７１】
これは、ｉ番目のユーザとｊ番目のユーザの感情データ間の距離として使用することができる。
【００７２】
この実施形態では、感情データを伴うタグを処理するための本発明の装置は、上記のアルゴリズム方法によって、ユーザ１の感情データ（７５、１２０、９０）と、ユーザ２、ユーザ３、およびユーザ４の感情データ（７０、１１０、８５）、（７５、１２０、９０）、（８０、１００、７０）との間の距離を計算することができる。計算された距離はｄ１２＝１２．２５、ｄ１３＝０、およびｄ１４＝２８．７３であると想定される。
【００７３】
ステップ２０５は、距離の順に他のユーザをソートするステップである。
【００７４】
計算された距離は、他のユーザを適宜ソートするために、昇順または降順でソートすることができる。この実施形態では、ｄ１３＜ｄ１２＜ｄ１４であるため、３人の他のユーザは、ユーザ３、ユーザ２、およびユーザ４のように、距離の昇順で配置構成される。
【００７５】
ステップ２０６は、ユーザと同様の感情を有するユーザを決定するステップである。
【００７６】
感情データ間の距離は、ユーザの感情間の類似度を表す。距離が短いほど類似度は高く、距離が長いほど類似度は低い。この実施形態では、ユーザ３とユーザ１の感情データ間の距離が最短であるため、ユーザ１と同様の感情を有するユーザはユーザ３であることが決定される。
【００７７】
ステップ２０４からステップ２０６は、ユーザの感情データおよび他のユーザの感情データに従って、ユーザと同様の感情を有する他のユーザを決定する手順の、特定の実施様式を示す。この手順は、当分野で知られた他の手段を使用して実施可能であることを理解されよう。
【００７８】
ステップ２０７は、決定されたユーザ情報をユーザに提供するステップである。
【００７９】
ユーザのＩＰアドレス、識別子、およびアクセス・タイムスタンプなどの、ユーザ情報は、ある種のメモリに格納するか、または本発明の装置がアクセス可能な任意の他のストレージ媒体に格納することができる。この実施形態では、感情データを伴うタグを処理するための本発明の装置は、ユーザ３の様々なユーザ情報をユーザ１に提供することが可能であり、その結果ユーザ１は、友人を作るなどの活動のために、チャット情報または電子メールをユーザ３に送信することができる。
【００８０】
その後、手順は終了する。
【００８１】
図３は、本発明の他の実施形態に従った、感情データを伴うタグを処理する方法を示す流れ図である。図３に示されたような例では、感情データを伴うタグを処理するための本発明の装置は、ユーザの現在の感情データを獲得し、ユーザの現在の感情データに一致するタグ内の感情データのコンテンツを検索し、シークされたコンテンツをユーザに提供する。
【００８２】
この実施形態では、ユーザ１が雪山の写真をブラウズしているという前提で、ユーザは過去の野外での冒険体験から心理的に雪山が怖いため、雪の写真を見ると「怖い」という感情を生成する。本発明の方法によって、ユーザの体験を向上させるように、ユーザの現在の感情に反したコンテンツをユーザに提供することができる。
【００８３】
ステップ３０１は、ユーザによってアクセスされているコンテンツを決定するステップである。
【００８４】
ステップ３０１は、図１のステップ１０１に類似している。ユーザがあるコンテンツへのアクセスを希望する場合、通常はアクセス要求を送信し、このユーザがアクセス権を有するものと決定されると、コンテンツにアクセスすることができる。したがって、どのユーザが何のコンテンツにアクセスしているかを決定することができる。
【００８５】
ステップ３０１では、ユーザ（たとえばユーザ１）によってアクセスされているコンテンツが、たとえば雪山の写真であることが決定される。
【００８６】
ステップ３０２は、コンテンツへのアクセス時にユーザによって生成された感情データを獲得するステップである。
【００８７】
図１に示された実施形態におけるステップ１０２と同様に、ステップ３０２では、コンテンツへのアクセス時にユーザによって生成された生理学的パラメータが第１に感知され、その後、感知された生理学的パラメータを使用することによってユーザの感情データが取得される。
【００８８】
この実施形態では、雪山の写真を見ている際のユーザ１の感情は「怖い」であり、感知によって取得されたユーザ１の感情データは（８０、１００、７０）であるものと仮定され、ここでその中の要素はそれぞれ、ユーザの心拍数、収縮期血圧、および拡張期血圧などの、生理学的パラメータに対応する。
【００８９】
ステップ３０３は、セット内の１つのコンテンツのタグを読み取り、タグから共通感情データを抽出するステップである。
【００９０】
この実施形態では、画像、ビデオ、文章、および音声などがセットＣを構成し、ここで、セットＣはｎ個のコンテンツを含み、セットＣのｉ番目のコンテンツはＣｉであると仮定される。
【００９１】
この実施形態では、ステップ３０３からステップ３０５までに、セットＣ内の各コンテンツのタグの感情データとユーザ１の感情データとが比較され、それらの間の距離が決定される。こうした判断は、セットＣ内のすべてのコンテンツが判断されるまで、Ｎ回実行される。
【００９２】
図１の実施形態によれば、共通感情データは事前に計算され、タグとしてコンテンツに追加されるか、または感情データを伴うタグの追加中にメモリ内に格納される。別の方法として、共通感情データはリアルタイムで計算され、タグとしてコンテンツに追加されるか、または感情タグを伴うタグの処理中にタグ内の感情データに従ってメモリに格納される。
【００９３】
この実施形態では、共通感情データが事前に計算され、タグとしてコンテンツに追加されるか、または感情データを伴うタグの追加中にメモリ内に格納されることが仮定される。したがって、ステップ３０３では、セットＣ内の各コンテンツのタグが読み取られ、共通感情データがタグから抽出される。セットＣの第１のコンテンツＣ１から抽出された共通感情データは（７５、１１０、８２）であると仮定される。
【００９４】
他の実施形態では、ステップ３０３で、セットの１つのコンテンツのタグが読み取られ、タグから感情データが抽出され、所定のストラテジに従って、抽出された感情データを使用することにより、セットＣ内の第１のコンテンツＣ１に対応する共通感情データが取得される。
【００９５】
ステップ３０４は、ユーザの現在の感情データと抽出された共通感情データとの間の距離を計算するステップである。
【００９６】
このステップで計算されるものは、ユーザ１の現在の感情データ（７５、１２０、９０）と、コンテンツＣｉのタグから抽出された共通感情データ（７５、１１０、８２）との間の距離ｄ１であり、ここでｉは、セットＣ内のｉ番目のコンテンツを示す。
【００９７】
この距離は、たとえばユークリッド距離を使用することによって、または当業者に公に知られた他の方法によって、計算することができる。
【００９８】
前述のようなステップ３０３〜３０４は、本発明の特定の例に過ぎない。他の実施形態では、ステップ３０３で、感情データのうちの１つをコンテンツのタグから任意に抽出することが可能であり、必ずしも共通感情データに限定されず、この時点で、ステップ３０４で計算されるものは、ユーザの現在の感情データとコンテンツのタグから任意に抽出された感情データとの間の距離である。
【００９９】
ステップ３０５は、セット内にまだ判断されていないコンテンツがあるかどうかを判別するステップである。
【０１００】
第１に、現在距離を計算しているコンテンツがセット内のどのコンテンツ上にあるかが判断され、そのコンテンツがＮ番目のコンテンツである、すなわちｉ＝Ｎである場合、手順はステップ３０６に進み、そうでない場合、ステップ３０３に戻り、セットＣ内の他のコンテンツのタグ内の感情データとユーザ１の感情データとの間の距離の計算を続行する。
【０１０１】
ステップ３０６は、セット内のコンテンツを距離の順にソートするステップである。
【０１０２】
ステップ３０３からステップ３０５に従い、セットＣ内のコンテンツのタグ内の感情データとユーザ１の感情データとの間でＮ個の距離、すなわち、ｄ１、ｄ２、．．．、ｄＮが計算される。計算される距離は昇順または降順にソートすることが可能であり、それによってセット内のコンテンツを適宜ソートすることができる。
【０１０３】
ステップ３０７は、ユーザまでの最大距離に対応するコンテンツを提供するステップである。
【０１０４】
最大距離がｄ２であり、最大距離ｄ２が対応するコンテンツがＣ２であると仮定される。コンテンツＣ２はたとえばうれしい結婚式の一部であり、これが「うれしい」ユーザの心理的反応につながる。したがってユーザ１は、「怖い」感情から「うれしい」感情へ即時に変換し、それによってユーザの気分を適時に調節し、ユーザの体験を向上させることが可能である。
【０１０５】
その後、手順は終了する。
【０１０６】
好ましくは、図３に示されたような実施形態は、ユーザの気分を適時に安定させ、ユーザの体験を向上させるように、ユーザが現在、「怖い」および「嫌い」などの否定的な感情にある状況に適用される。
【０１０７】
他の実施形態では、ステップ３０７において、最小距離に対応するコンテンツをユーザ１に提供できることに留意されたい。この時点で、ユーザ１に提供されるものは、災害に関する動画または他の同様なコンテンツとすることができるため、結果としてユーザは「怖い」という感情の体験が続行される。距離に応じたユーザへのコンテンツ提供は、クライアント自身がリアルタイムで定義するか、または固定的に事前設定することができる。
【０１０８】
最大距離に対応するコンテンツのタグ内、および最小距離に対応するコンテンツのタグ内の、どちらの感情データも、ユーザの現在の感情データに一致する感情データとして使用可能である。したがって、一実施形態では、最大距離に対応するコンテンツを一致コンテンツとすることが可能であるのに対して、他の実施形態では、最小距離に対応するコンテンツを一致コンテンツとすることが可能である。
【０１０９】
図４は、本発明の他の実施形態に従った、感情データを伴うタグを処理する方法を示す流れ図である。この実施形態では、ユーザ１は、雪山の美しい景色を示す写真、チャップリンのビデオ・クリップ、ビーチでの休暇に関するブログ、およびスリラー映画のビデオ・クリップを含む、４つのコンテンツにアクセスすると仮定される。本発明の方法を使用することによって、感情データを伴うタグを処理するための本発明の装置は、ユーザ１のアクセスの記録に従って、ユーザに一致コンテンツを提供することが可能であり、一致コンテンツの感情データは、ユーザ１の最も頻繁に生成された感情に対応する感情データに一致する。
【０１１０】
ステップ４０１は、ユーザによって以前にアクセスされたコンテンツを決定するステップである。
【０１１１】
ユーザは多くのコンテンツに事前にアクセスする可能性があり、たとえばユーザは、インターネットを通じて写真をブラウズする、ビデオ・クリップを見る、曲を聴く、またはブログを読む可能性がある。ユーザがこれらのコンテンツにアクセスする場合、ユーザのＩＰアドレス、ユーザによってアクセスされるコンテンツのＵＲＬ、アクセスのタイムスタンプ、およびアクセス持続時間などの関連情報を、ウェブログに記録することができる。ユーザによって事前にアクセスされたコンテンツは、記録された情報を読み取ることによって決定可能である。加えて、ユーザによって事前にアクセスされたコンテンツは、当業者に公に知られた任意の他の技術を使用することによっても決定可能である。
【０１１２】
好ましくは、ステップ４０１では、時間間隔を事前設定することが可能であり、その時間間隔中にユーザによってアクセスされたコンテンツを決定することができる。たとえば、最近１時間内にユーザによってアクセスされたコンテンツのみが決定される。この方法では、ユーザの最近の感情に、より好適なコンテンツを提供するために、ユーザの最近の感情状況をより正確に理解することができる。事前設定される時間間隔は、数分、数時間、数日、数週間などとすることが可能であり、ユーザが自ら設定するか、または設計時にシステム内に固定的に設定することが可能である。
【０１１３】
ステップ４０２は、コンテンツのタグを読み取り、タグからユーザの感情データを抽出するステップである。
【０１１４】
本発明に従った、感情データを伴うタグを追加するための方法によって、感情データを伴うタグを処理するための本発明の装置は、上記コンテンツへのアクセス時にユーザによって生成される感情データと、他の追加情報（たとえば、ユーザのＩＰアドレス、識別子、およびアクセス・タイムスタンプ）とを、それぞれタグとして、雪山の美しい景色を示す写真、チャップリンのビデオ・クリップ、ビーチでの休暇に関するブログ、およびスリラー映画のビデオ・クリップに、追加することができる。
【０１１５】
したがってステップ４０２では、これらのコンテンツのタグを、そこからユーザの感情データを見つけるため、およびさらに感情データを抽出するために、読み取ることができる。
【０１１６】
この例では、雪山の写真のブラウズ時にユーザによって生成された感情データは（７０、１１２、８５）であり、チャップリンのビデオ・クリップの視聴時に生成された感情データは（７２、１１１、８２）、ビーチでの休暇に関するブログの読み取り時に生成された感情データは（７５、１１０、８０）、スリラー映画のビデオ・クリップの視聴時に生成された感情データは（９５、１２０、９０）である。これらのすべての感情データは、対応するコンテンツのタグにすでに含まれている。この場合、ステップ４０２が実行されるごとに、ユーザの感情データをそれらのうちの１つのコンテンツのタグから抽出することができる。
【０１１７】
ステップ４０３は、ユーザが他のコンテンツにもアクセスするかどうかを判断するステップである。
【０１１８】
タグからすでに感情データが抽出されたコンテンツの数が、ユーザによって事前にアクセスされたコンテンツの数に達しているかどうか、すなわちこの実施形態では４に達しているかどうかが判断される。達している場合、手順はステップ４０４に進み、達していない場合、さらに処理するために手順はステップ４０１に戻ることになる。
【０１１９】
ステップ４０４は、ユーザの感情データの統計を実施し、ユーザの最も頻繁に生成された感情を決定することに関する。
【０１２０】
ユーザの最も頻繁に生成された感情は、統計パターン認識のクラスタ化方法によって決定することができる。たとえば前述の決定手順は、ｋ平均クラスタ化方法によって実施可能である。具体的には、Ｒ．Ｏ．Ｄｕｄａ、Ｐ．Ｅ．Ｈａｒｔ、およびＤ．Ｇ．Ｓｔｏｒｋによる、Ｐａｔｔｅｒｎ  Ｃｌａｓｓｉｆｉｃａｔｉｏｎ（第２版）、第１０章、５１７〜５９９ページ、ＩＳＢＮ：０−４７１−０５６６９−３を参照されたい。ステップ４０１〜４０３から抽出された４つの感情データの分析から、最初の３つのコンテンツ（すなわち、雪山の写真、チャップリンのビデオ・クリップ、およびビーチでの休暇に関するブログ）のタグ内の感情データ（７０、１１２、８５）、（７２、１１１、８２）、および（７５、１１０、８０）は互いにより近く、４番目のコンテンツ（スリラー映画のビデオ・クリップ）のタグ内の感情データ（９５、１２０、９０）は、最初の３つのコンテンツのタグ内の感情データとはるかに異なると、結論付けることができる。したがって、最初の３つのコンテンツを第１のタイプとして分類し、４番目のコンテンツを第２のタイプと分類することができる。第１のタイプに含まれるコンテンツの数の方が第２のタイプに含まれるコンテンツの数よりも多いため、第１のタイプに含まれるコンテンツ（すなわち最初の３つのコンテンツ）へのアクセス時にユーザによって生成された感情が、ユーザによって最も頻繁に生成された感情であるものと決定することができる。
【０１２１】
ステップ４０５は、ユーザによって最も頻繁に生成された感情に対応する感情データを取得するステップである。
【０１２２】
第１のタイプのコンテンツのいずれか１つのタグ内のユーザの感情データを、ユーザによって最も頻繁に生成された感情に対応する感情データとみなすことができる。平均、すなわちガウス分布の平均値、または第１のタイプのすべてのコンテンツのタグ内のユーザの感情データの重み付け値が計算され、この計算結果が、ユーザによって最も頻繁に生成された感情に対応する感情データとみなされる。
【０１２３】
ステップ４０６は、１つのコンテンツのタグを読み取り、タグから共通感情データを抽出するステップである。
【０１２４】
この実施形態では、ステップ４０６から４０８で、ユーザの体験を向上させるために、ユーザの最も頻繁に生成された感情に対応するステップ４０５から取得された感情データと、ある種のコンテンツのタグ内の共通感情データとの間の距離を決定することによって、ユーザの最も頻繁に生成された感情をユーザに生成させる可能性のあるコンテンツが、このユーザに提供される。
【０１２５】
ステップ４０７は、ユーザの最も頻繁に生成された感情に対応する感情データと、共通感情データとの間の距離を計算することに関する。
【０１２６】
この距離は、たとえばユークリッド距離、または当業者に公に知られた他の方法によって、計算することができる。
【０１２７】
前述のようなステップ４０６〜４０７は、本発明の単なる特定の例である。他の実施形態では、ステップ４０６で、１つの感情データを、共通感情データに必ずしも限定されることなく、コンテンツのタグから任意に抽出可能であり、この時点で、ステップ４０７で計算されるものは、ユーザの最も頻繁に生成された感情に対応する感情データと、コンテンツのタグから任意に抽出される１つの感情データとの間の距離である。
【０１２８】
ステップ４０８は、計算された距離がしきい値より少ないかどうかを決定するステップである。
【０１２９】
しきい値は、システムによって固定的に設定するか、またはユーザによって自ら設定することが可能であり、実際の状況に従って、ユーザによって自ら調整可能である。
【０１３０】
ステップ４０７で計算された距離がしきい値より少ない場合、判断されているコンテンツの平均感情データは、ユーザの最も頻繁に生成された感情に対応する感情データに非常に近く、ここで一致コンテンツが見つかったものと判別され、手順はさらにステップ４０９に進み、そうでない場合、手順はステップ４０６に戻って一致コンテンツの検索が続行される。
【０１３１】
他の実施形態では、すべてのコンテンツが判断された後に、一致コンテンツが見つからないようなケースが生じる可能性があることに留意されたい。この時点で、適切にしきい値を上げることによって、各コンテンツを再度判断することが可能であり、しきい値の上昇は、システムまたはユーザ自身によって完了可能である。
【０１３２】
ステップ４０９は、一致コンテンツをユーザに提供するステップである。
【０１３３】
一致コンテンツは、コンテンツのタグ内の感情データと、ユーザによって最も頻繁に生成された感情に対応する感情データとの間の距離が、しきい値よりも少ないようなコンテンツである。使用のために一致コンテンツを提供することによって、ユーザに自分の最も頻繁に生成された感情を生成させる可能性のあるコンテンツが、迅速かつ適時に提供され、それによってユーザの体験が著しく向上する。
【０１３４】
この実施形態では、ユーザによって最も頻繁に生成された感情が「うれしい」であると判断され、「うれしい」感情を起こさせる可能性のあるコンテンツをユーザに提供することが可能であり、たとえばクロストークのオーディオ・クリップ、コメディ映画、または漫画をユーザに提供することができる。
【０１３５】
注目すべきことに、他の実施形態では、「うれしい」という感情とは反対の感情を起こさせるコンテンツを一致コンテンツとみなすことが可能であり、たとえば、「悲しい」という感情を起こさせる可能性のあるコンテンツを、一致コンテンツとみなすことができる。この時点で、ステップ４０８で、計算された距離が所定のしきい値よりも大きいかどうかが判別可能であり、次に、所定のしきい値よりも大きい距離に対応するコンテンツを一致コンテンツとみなすことができる。
【０１３６】
その後、手順は終了する。
【０１３７】
図５は、本発明のさらに他の実施形態に従った、感情データを伴うタグを処理する方法を示す流れ図である。この実施形態では、ユーザ１が雪山の写真にアクセスしており、以前この雪山の写真にアクセスしたことのある他のユーザによって生成された感情を体験したい、というシナリオが仮定される。本発明の方法によって、感情データを伴うタグを処理するための本発明の装置は、ユーザ１が同じコンテンツにアクセスしている他のユーザによって生成された感情を体験できるようにすることが可能であり、それによって、ユーザの体験が著しく向上する。
【０１３８】
ステップ５０１は、同じコンテンツにアクセスしている他のユーザの感情を体験するための、１ユーザの要求を受信するステップである。
【０１３９】
ステップ５０２は、コンテンツのタグを読み取り、タグから、コンテンツへのアクセス時に他のユーザによって生成された感情データを抽出するステップである。
【０１４０】
図２に示されたような実施形態でのステップ２０３と同様に、この実施形態では、３人のユーザ（ユーザ２、ユーザ３、ユーザ４）は以前同じ雪山の写真にアクセスしたことがあり、ユーザ２の感情データは（７０、１１０、８５）、ユーザ３の感情データは（７５、１２０、９０）、ユーザ４の感情データは（８０、１００、７０）であり、これらすべての感情データはすでに写真のタグに格納されていると仮定される。ステップ５０２は、雪山の写真のタグを読み取ること、ならびに、それぞれユーザ２、ユーザ３、およびユーザ４の感情データをタグから抽出することに関する。
【０１４１】
ステップ５０３は、抽出された感情データの平均を計算し、それによって共通感情データを取得するステップである。
【０１４２】
図１に示されるような実施形態から、感情データを伴うタグの追加中に、共通感情データを事前に計算し、タグとしてコンテンツに追加するか、またはメモリ内に格納できることが知られている。別の方法として、感情タグを伴うタグの処理中に、共通感情データをリアルタイムで計算し、タグとしてコンテンツに追加するか、またはタグ内の感情データに従ってメモリ内に格納することができる。
【０１４３】
この実施形態では、感情データを伴うタグの追加中に、共通感情データが事前に計算されないものと想定される。したがって、ステップ５０３では、ステップ５０２で抽出されたユーザ２、ユーザ３、およびユーザ４の感情データに従って、共通感情データが計算される。
【０１４４】
共通感情データは、様々な所定のストラテジに従って計算可能である。たとえば、タグが、複数のユーザがコンテンツにアクセスしている場合に生成された感情データを担持している場合、共通感情データは異なるユーザを平均することによって計算可能であるか、または、複数のユーザの感情データからのガウス分布の平均値が計算可能であり、この平均が共通感情データとして使用されるか、または、複数のユーザからの感情データを所定の重みを使用して重み付けし、重み付けされた感情データの合計が共通感情データとみなされる。
【０１４５】
この実施形態では、ユーザ２、ユーザ３、およびユーザ４の感情データは所定の重みを使用して重み付けされ、ここで重み付けは、たとえばユーザのレベル、重要性、または優先度に従って事前設定される。たとえばユーザ２は、重みの少ない０．２のジュニア・ユーザであり、ユーザ３は重みの大きい０．５のシニア・ユーザであり、ユーザ４は中間の重み０．３のメザニン（mezzanine）ユーザである。ユーザ２、ユーザ３、およびユーザ４の感情データ（７０、１１０、８５）、（７５、１２０、９０）、および（８０、１００、７０）は、それぞれ上記重み付けを使用して重み付けされ、重み付けされた感情データは、共通感情データ（７５．５、１１２、８３）を取得するまで追加される。
【０１４６】
ステップ５０４は、対応する動作をユーザに生成するために、ユーザの動作デバイスに共通感情データを提供するステップである。
【０１４７】
この実施形態では、クライアント側で、たとえば本発明の装置からの共通感情データをユーザの動作に変換するための動作デバイスが提供可能であり、それによってユーザは、同じコンテンツにアクセスしている他のユーザの共通感情データに対応する感情を体験する。
【０１４８】
ユーザは、様々な手法で動作可能であり、たとえば、共通感情データをオーディオ周波数信号に変換する手法では、その後この信号は、ノート型コンピュータ、携帯電話、またはＰＤＡによって再生され、結果としてユーザは、音楽を聞くことによって共通感情データを体験することになり、あるいは、共通感情データを照明制御システムに提供することによって、共通感情データを光信号に変換する手法では、結果としてユーザは、ユーザ周囲の照明の変化を通じて共通感情データを体験することが可能であり、あるいは、マウス内に弱電流刺激手段を提供することによって、共通感情データを弱電流信号に変換する手法では、それによって、ユーザがマウスを握った際に、マウスによって送信される弱電流信号の刺激を通じて、ユーザに共通感情データを体験させることが可能である。
【０１４９】
その後、手順は終了する。
【０１５０】
注目すべきことに、図５に示されたような実施形態で説明されるように、同じコンテンツにアクセスしている複数ユーザの共通感情データを使用してユーザを刺激することに加えて、コンテンツのタグ内の任意のユーザの感情データを使用してユーザを動作させることが可能である。すなわちユーザは、同じコンテンツのタグから抽出された感情データに基づいて動作可能であり、ユーザを動作させるために共通感情データを使用する必要はない。
【０１５１】
図６は、本発明の一実施形態に従った、感情データを伴うタグを追加するための装置のブロック図である。
【０１５２】
図６に示されたような装置６００は、コンテンツへのアクセス時に、ユーザによって生成された感情データを受信するための受信手段６１０であって、感情データは、ユーザの感情を反映する測定可能な生理学的パラメータに従って取得される、受信手段と、感情データを伴うタグを感情データに基づいてコンテンツに追加するための追加手段６２０とを、備えることができる。
【０１５３】
注目すべきことに、生理学的パラメータ・センサまたは生物学的信号検出器がクライアント側（すなわちユーザ端末）に配置可能であり、たとえば、センサがユーザ端末近くに配置されるか、またはユーザがセンサを身に付けることが可能である。
【０１５４】
この場合、コンテンツにアクセスしているユーザによって生成された生理学的パラメータがクライアント側（すなわちユーザ端末）で感知され、その後、クライアントは感知された生理学的パラメータに従って感情データを取得し、取得された感情データは装置６００の受信手段６１０に提供される。別の方法として、コンテンツにアクセスしているユーザによって生成された生理学的パラメータがクライアント側（すなわちユーザ端末）で感知され、その後、クライアントは感知された生理学的パラメータを装置６００の受信手段６１０に直接提供し、その後、受信手段６１０は生理学的パラメータに従って感情データを取得する。続いて、追加手段６２０は、受信手段６１０によって取得された感情データをタグとしてコンテンツに追加する。
【０１５５】
装置６００は、感情データを使用することにより、所定のストラテジに従ってコンテンツに対応する共通感情データを計算するための手段と、共通感情データを処理することによってユーザにサービスを提供するように、共通感情データを伴うタグをコンテンツに追加するための手段、または共通感情データをメモリ内に格納するための手段とを、さらに備える。２つの手段は光学式であることを理解されよう。共通感情データを計算しないケースでは、共通感情データは、その後、感情データを伴うタグが処理される時点で計算可能である。２つの手段が存在する場合、共通感情データは、その後感情データを伴うタグが処理される時点で、タグから直接抽出するか、またはメモリから読み取ることが可能である。
【０１５６】
所定のストラテジは、複数のユーザから感情データを平均化し、この平均を共通感情データとして使用するストラテジ、複数ユーザからの感情データのガウス分布の平均値を計算し、この平均値を共通感情データとみなすストラテジ、または、所定の重みを使用して複数のユーザからの感情データを重み付けし、この重み付けされた感情データの合計を共通感情データとみなすストラテジのうちの、いずれか１つとすることができる。
【０１５７】
図７は、本発明の一実施形態に従った、感情データを伴うタグを処理するための装置のブロック図である。
【０１５８】
図７に示されるような装置７００は、感情データを伴うタグから感情データを抽出するための抽出手段７１０であって、タグは１つのコンテンツに対応する、抽出手段と、感情データを使用することによってサービスを提供するためのサービス提供手段７２０とを、備えることができる。装置７００は、コンテンツへのアクセス時にユーザによって生成された感情データを受信するための受信手段６１０と、感情データに基づいて、感情データを伴うタグをコンテンツに追加するための追加手段６２０とを、さらに備えることができる。
【０１５９】
装置７００のサービス提供手段７２０は、感情データを使用することによる所定のストラテジに従って、コンテンツに対応する共通感情データを計算するための手段と、共通感情データを伴うタグをコンテンツに追加する手段、または共通感情データをメモリ内に格納するための手段と、共通感情データを感情データとして処理するための手段とを、備えることができる。
【０１６０】
所定のストラテジは、複数のユーザから感情データを平均化し、この平均を共通感情データとして使用するストラテジ、複数ユーザからの感情データのガウス分布の平均値を計算し、この平均値を共通感情データとみなすストラテジ、または、所定の重みを使用して複数のユーザからの感情データを重み付けし、この重み付けされた感情データの合計を共通感情データとみなすストラテジのうちの、いずれか１つとすることができる。
【０１６１】
この実施形態では、装置７００の抽出手段７１０は、コンテンツへのアクセス時に１ユーザと同様の感情を生成している他のユーザに対する１ユーザの照会要求を受信するための手段と、コンテンツへのアクセス時に当該１ユーザによって生成された感情データを獲得するための手段と、コンテンツのタグから他のユーザの感情データを抽出するための手段とを、備えることができる。装置７００のサービス提供手段７２０は、当該１ユーザの感情データおよび他のユーザの感情データに従って、当該１ユーザと同様の感情を伴う他のユーザを決定するための手段と、決定された他のユーザの情報を当該１ユーザに提供するための手段とを、備えることができる。
【０１６２】
他の実施形態では、装置７００の抽出手段７１０は、一致することになるコンテンツのタグから感情データを抽出するための手段を備えることができる。装置７００のサービス提供手段７２０は、現在アクセスされているコンテンツに関してユーザによって生成された感情データを獲得するための手段と、ユーザの現在の感情データおよび一致することになるコンテンツのタグから抽出された感情データに従って、一致コンテンツを検索するための手段と、一致コンテンツをユーザに提供するための手段とを、備えることができる。
【０１６３】
さらに他の実施形態では、装置７００の抽出手段７１０は、１ユーザによって以前にアクセスされたコンテンツのタグから感情データを抽出するための手段と、一致することになるコンテンツのタグから感情データを抽出するための手段とを、備えることができる。装置７００のサービス提供手段７２０は、１ユーザによって以前にアクセスされたコンテンツのタグから抽出された感情データの統計を実施することにより、１ユーザによって最も頻繁に生成された感情を決定するための手段と、１ユーザによって最も頻繁に生成された感情に対応する感情データ、および一致することになるコンテンツのタグから抽出された感情データに従って、一致コンテンツを検索するための手段と、一致コンテンツを１ユーザに提供するための手段とを、備えることができる。
【０１６４】
さらに他の実施形態では、装置７００の抽出手段７１０は、１ユーザと同じコンテンツにアクセスしている他のユーザの感情を体験するための１ユーザの要求を受信するための手段と、同じコンテンツへのアクセス時に他のユーザによって生成された感情データを同じコンテンツのタグから抽出するための手段とを、備えることができる。装置７００のサービス提供手段７２０は、抽出された他のユーザの感情データに基づいて１ユーザを動作させるための手段を備えることができる。
【０１６５】
さらに本発明は、感情データを伴うタグを処理するためのシステムを提供する。システムは、コンテンツへのアクセス時にユーザによって生成された感情データを感知および提供するためのクライアントであって、感情データがユーザの感情を反映する測定可能な生理学的パラメータに従って取得される、クライアントと、感情データを伴うタグを処理するためのサーバとを、備えることができる。サーバは、コンテンツへのアクセス時にユーザによって生成された感情データを受信するための受信手段と、感情データを伴うタグを感情データに基づいてコンテンツに追加するための追加手段と、感情データを伴うタグから感情データを抽出するための抽出手段と、感情データを使用することによってサービスを提供するためのサービス提供手段とを、備えることができる。
【０１６６】
図８は、本発明の一実施形態を実施するためのコンピューティング装置の構造的ブロック図である。
【０１６７】
図８に示されたようなコンピュータ・システムは、ＣＰＵ（中央処理ユニット）８０１、ＲＡＭ（ランダム・アクセス・メモリ）８０２、ＲＯＭ（読み取り専用メモリ）８０３、システム・バス８０４、ハード・ディスク・コントローラ８０５、キーボード・コントローラ８０６、シリアル・インターフェース・コントローラ８０７、パラレル・インターフェース・コントローラ８０８、ディスプレイ・コントローラ８０９、ハード・ディスク８１０、キーボード８１１、シリアル外部デバイス８１２、パラレル外部デバイス８１３、およびディスプレイ８１４を備える。これらのコンポーネントの中で、ＣＰＵ  ８０１、ＲＡＭ  ８０２、ＲＯＭ  ８０３、ハード・ディスク・コントローラ８０５、キーボード・コントローラ８０６、シリアル・インターフェース・コントローラ８０７、パラレル・インターフェース・コントローラ８０８、およびディスプレイ・コントローラ８０９は、システム・バス８０４に接続され、ハード・ディスク８１０はハード・ディスク・コントローラ８０５に接続され、キーボード８１１はキーボード・コントローラ８０６に接続され、シリアル外部デバイス８１２はシリアル・インターフェース・コントローラ８０７に接続され、パラレル外部デバイス８１３はパラレル・インターフェース・コントローラ８０８に接続され、ディスプレイ８１４はディスプレイ・コントローラ８０９に接続される。
【０１６８】
図８の各コンポーネントの機能は本技術分野で公に知られており、図８に示されたような構造は従来型である。様々な適用分野では、図８に示された構造にいくつかのコンポーネントを追加可能であるか、または図８に示されたいくつかのコンポーネントを省略可能である。図８に示されたシステム全体が、通常はハード・ディスク８１０内にソフトウェアとして格納された、あるいはＥＰＲＯＭまたは他の不揮発性メモリに格納された、コンピュータ読み取り可能命令によって制御される。ソフトウェアは、ネットワーク（図示せず）からダウンロード可能である。ハード・ディスク８１０に格納されるかまたはネットワークからダウンロードされたソフトウェアは、ＲＡＭ  ８０２にアップロードし、ソフトウェアによって決定された機能を実行するためにＣＰＵ  ８０１によって実行することが可能である。
【０１６９】
図８に示されたようなコンピュータ・システムは、本発明に従った、感情データを伴うタグを追加するための装置、および感情データを伴うタグを処理するための装置をサポート可能であるが、これは、コンピュータ・システムの単なる一例である。当業者であれば、多くの他のコンピュータ・システム設計も本発明の実施形態を実現可能であることを理解されよう。
【０１７０】
さらに本発明は、コンテンツへのアクセス時に、ユーザによって生成された感情データを受信することであって、感情データは、ユーザの感情を反映する測定可能な生理学的パラメータに従って取得される、受信すること、および、感情データを伴うタグを感情データに基づいてコンテンツに追加することを、実行するためのコードを含む、コンピュータ・プログラム製品に関する。本発明は、感情データを伴うタグから感情データを抽出することであって、タグは１コンテンツに対応し、感情データはユーザの感情を反映する測定可能な生理学的パラメータに従って取得される、抽出すること、および、サービスを提供するために感情データを使用することを、実行するためのコードを含む、コンピュータ・プログラム製品にも関する。コードは、使用前に、他のコンピュータ・システムのメモリに格納すること、たとえばハード・ディスクあるいはＣＤまたはフレキシブル・ディスクなどの可動メモリに格納するか、あるいは、インターネットまたは他のコンピュータ・ネットワークを介してダウンロードすることが可能である。
【０１７１】
開示されたような本発明の方法は、ソフトウェア、ハードウェア、またはソフトウェアおよびハードウェアの組み合わせにおいて達成可能である。ハードウェア部分は特別な論理を使用することによって達成可能であり、ソフトウェア部分は、メモリに格納し、マイクロプロセッサ、パーソナル・コンピュータ（ＰＣ）、またはメインフレーム・コンピュータなどの適切な命令実行システムによって実行することによって実行可能である。
【０１７２】
上記では、本発明をより容易に理解できるようにするために、当業者に公に知られており、本発明の実現に必要な、いくつかのさらに特定の技術的細部が省略されていることに留意されたい。
【０１７３】
本発明の説明は、すべての実施形態を列挙するため、または本発明を開示された形に限定するためではなく、例示および記述のために提供されたものである。当業者であれば、多くの修正および変形が明白であることを理解されよう。
【０１７４】
したがって前述の好ましい諸実施形態は、本発明の原理およびその実際の応用例をより良く例示するため、ならびに、本発明の本質から逸脱することなく、すべての修正および変形が添付の特許請求の範囲によって定義された本発明の保護の範囲内にあることを、当業者が理解できるように、選択および説明される。
【符号の説明】
【０１７５】
６１０  受信手段
６２０  追加手段
７１０  抽出手段
７２０  サービス提供手段
８０１  ＣＰＵ
８０２  ＲＡＭ
８０３  ＲＯＭ
８０４  バス
８０５  ＨＤコントローラ
８０６  キーボード・コントローラ
８０７  シリアル・インターフェース・コントローラ
８０８  パラレル・インターフェース・コントローラ
８０９  ディスプレイ・コントローラ
８１０  ハード・ディスク
８１１  キーボード
８１２  シリアル外部デバイス
８１３  パラレル外部デバイス
８１４  ディスプレイ
【図１】
2010244523.tif 000004
【図２】
2010244523.tif 000005
【図３】
2010244523.tif 000006
【図４】
2010244523.tif 000007
【図５】
2010244523.tif 000008
【図６】
2010244523.tif 000009
【図７】
2010244523.tif 000010
【図８】
2010244523.tif 000011